(57)【要約】【課題】既存の洗濯装置等を利用して、リント除去機能を付加し、洗濯時における洗浄液のリント除去を行う。【解決手段】洗濯装置の内部で被洗濯物と洗浄液を投入して回転洗浄し、この回転洗浄中に前記洗濯装置の開閉扉近傍でリントを除去するリント除去工程を伴う洗濯方法であり、前記リント除去工程においては、前記開閉扉に貫通形成される洗浄液導出孔を介して前記洗濯装置の内部から外部へ前記洗浄液を導出し、導出された前記洗浄液を前記外部に設けられた洗浄液流下管で流下させ、この洗浄液を前記洗浄液導出孔よりも低い位置において前記開閉扉に貫通形成された洗浄液導入孔を介して前記開閉扉の外部から内部に導入し、前記洗浄液導出孔よりも下流側にリント除去フィルタを配置して流通する前記洗浄液に混入するリントを濾過除去する。【選択図】図４
2014193194.tif 000002
【特許請求の範囲】
【請求項１】
洗濯装置の内部で被洗濯物と洗浄液を投入して回転洗浄し、この回転洗浄中に前記洗濯装置の開閉扉近傍でリントを除去するリント除去工程を伴う洗濯方法であり、前記リント除去工程は、前記開閉扉に貫通形成される洗浄液導出孔を介して前記洗濯装置の内部から外部へ前記洗浄液を導出し、導出された前記洗浄液を前記外部に設けられた洗浄液流下管で流下させ、流下する前記洗浄液を前記洗浄液導出孔よりも低い位置において前記開閉扉に貫通形成された洗浄液導入孔を介して前記開閉扉の外部から内部に導入し、前記リント除去工程において前記洗浄液導出孔よりも下流側にリント除去フィルタを配置して流通する前記洗浄液に混入するリントを濾過除去することを特徴とするリント除去式洗濯方法。
【請求項２】
前記洗濯装置では、内胴部の中に投入された被洗濯物と洗浄液を回転洗浄し、前記内胴部を包囲して固定状態に配置された外胴部で前記洗浄液が液密に保持され、前記内胴部に設けられた連通手段により前記内胴部から前記外胴部に前記洗浄液を流通させ、前記開閉扉により前記外胴部の開口部を液密に閉鎖又は開放する請求項１に記載のリント除去式洗濯方法。
【請求項３】
前記回転洗浄により前記洗浄液の水面の水位を上昇させた位置から前記洗浄液導出孔を介して前記洗浄液を導出し、前記回転洗浄により前記洗浄液の水面の水位を下降させた位置から前記洗浄液導入孔を介して前記洗浄液を導入する請求項１又は２に記載のリント除去式洗濯方法。
【請求項４】
前記洗浄液導出孔に粗目フィルタを配置して前記被洗濯物の導出を遮断すると共にリントが混入した前記洗浄液を導出させ、前記粗目フィルタよりも下流側で前記リント除去フィルタにより前記洗浄液に混入したリントを濾過除去する請求項１、２又は３に記載のリント除去式洗濯方法。
【請求項５】
被洗濯物と洗浄液を投入して回転洗浄する洗濯装置と、この洗濯装置の開閉扉に配置されて前記洗浄液に混入されるリントを除去するリント除去器とを有し、前記リント除去器は、前記開閉扉の内部から外部へ前記洗浄液を導出するために前記開閉扉に貫通形成される洗浄液導出孔と、前記洗浄液導出孔から外部に導出された前記洗浄液を前記外部で流下させる洗浄液流下管と、前記洗浄液流下管から流下する前記洗浄液を前記洗浄液導出孔よりも低い位置において前記開閉扉の外部から内部に導入するために前記開閉扉に貫通形成される洗浄液導入孔を具備してなり、前記リント除去器の内部に前記洗浄液に混入されるリントを濾過除去するリント除去フィルタを配置することを特徴とするリント除去器付洗濯装置。
【請求項６】
前記洗濯装置は、前記被洗濯物と前記洗浄液を投入して回転洗浄する内胴部と、前記内胴部を包囲して固定状態に配置され且つ前記洗浄液が液密に保持される外胴部と、前記内胴部から前記外胴部に前記洗浄液を流通させるために前記内胴部に設けられた連通手段と、前記外胴部の開口部を液密に閉鎖し又は開放する前記開閉扉を有する請求項５に記載のリント除去器付洗濯装置。
【請求項７】
前記回転洗浄において前記洗浄液の水面の水位が上昇する位置に前記洗浄液導出孔が設けられ、前記洗浄液の水位が下降する位置に前記洗浄液導入孔が設けられる請求項５又は６に記載のリント除去器付洗濯装置。
【請求項８】
前記洗浄液導出孔に前記被洗濯物の導出を遮断し且つリントが混入した前記洗浄液を導出させる粗目フィルタを配置し、前記粗目フィルタよりも下流側に前記リント除去フィルタを配置する請求項５、６又は７に記載のリント除去器付洗濯装置。
【発明の詳細な説明】
【技術分野】
【０００１】
本発明は、布製品等の洗濯方法及び洗濯装置に関するものであり、更に詳細には、布製品等の被洗濯物を、洗剤等を含有する洗濯液に浸漬して洗濯する洗濯方法及び洗濯装置に関する。
【背景技術】
【０００２】
防塵マットなどの布製品を洗濯する際には、洗濯中において、これらの布製品を構成する繊維が一部遊離して、洗浄液に混合する。これらの遊離繊維がいわゆるリントであり、洗濯において洗浄液からリントを除去しないと、洗濯装置の回転機構など絡みつき、洗濯装置の故障などを引き起こす。また、リントがこれらの被洗濯物に再吸着され、汚染されてしまう。
従って、これらのリントを洗濯中において洗浄液から除去することは、広く行われ、例として特開平６−１３４１８２号公報（特許文献１）に開示されているものがあり、この従来の洗濯装置が図９に図示される。この特許文献１の洗濯装置１０１においては、外槽１０６の底部から放出された洗浄水が排水管１１９を経て、ポンプ１１０により上昇され、揚水ホース１１１及び吐水口１１１ａを経てリントフィルタ１０５に到着し、このリントフィルタによりリントが濾過除去された後に、洗濯槽１０７へ返還される。
【先行技術文献】
【特許文献】
【０００３】
【特許文献１】特開平６−１３４１８２号公報
【発明の概要】
【発明が解決しようとする課題】
【０００４】
しかし、この様な洗濯装置のリント除去手段については、改善するべき欠点がある。特許文献１の洗濯装置１０１の内部にリントフィルタ１０５、ポンプ１１０及び揚水ホース１１１が配置されているので、リント除去手段を有さない既存洗濯装置を改造して、このようなリント除去手段を設置しようとしても、この既存洗濯装置の内部に充分な空間が無い場合が生じる。また、このように、洗濯装置の内部にリント除去手段が配置されると、修理や整備の際に手間がかかる。更に、ポンプ１１０により、構造が複雑になる。洗濯の際には、洗浄液が流動するので、リント除去手段に洗浄液を通す為には、この流動を利用することが好ましい。
【課題を解決するための手段】
【０００５】
本願は、これらの課題を解決する為になされたものであり、本発明の第１の形態は、洗濯装置の内部で被洗濯物と洗浄液を投入して回転洗浄し、この回転洗浄中に前記洗濯装置の開閉扉近傍でリントを除去するリント除去工程を伴う洗濯方法であり、前記リント除去工程は、前記開閉扉に貫通形成される洗浄液導出孔を介して前記洗濯装置の内部から外部へ前記洗浄液を導出し、導出された前記洗浄液を前記外部に設けられた洗浄液流下管で流下させ、流下する前記洗浄液を前記洗浄液導出孔よりも低い位置において前記開閉扉に貫通形成された洗浄液導入孔を介して前記開閉扉の外部から内部に導入し、前記リント除去工程において前記洗浄液導出孔よりも下流側にリント除去フィルタを配置して、流通する前記洗浄液に混入するリントを濾過除去するリント除去式洗濯方法である。
【０００６】
本発明の第２の形態は、前記洗濯装置では、内胴部の中に投入された被洗濯物と洗浄液を回転洗浄し、前記内胴部を包囲して固定状態に配置された外胴部で前記洗浄液が液密に保持され、前記内胴部に設けられた連通手段により前記内胴部から前記外胴部に前記洗浄液を流通させ、前記開閉扉により前記外胴部の開口部を液密に閉鎖又は開放するリント除去式洗濯方法である。
【０００７】
本発明の第３の形態は、前記回転洗浄により前記洗浄液の水面の水位を上昇させた位置から前記洗浄液導出孔を介して前記洗浄液を導出し、前記回転洗浄により前記洗浄液の水面の水位を下降させた位置から前記洗浄液導入孔を介して前記洗浄液を導入するリント除去式洗濯方法である。
【０００８】
本発明の第４の形態は、前記洗浄液導出孔に粗目フィルタを配置して前記被洗濯物の導出を遮断すると共にリントが混入した前記洗浄液を導出させ、前記粗目フィルタよりも下流側で前記リント除去フィルタにより前記洗浄液に混入したリントを濾過除去するリント除去式洗濯方法である。
【０００９】
本発明の第５の形態は、被洗濯物と洗浄液を投入して回転洗浄する洗濯装置と、この洗濯装置の開閉扉に配置されて前記洗浄液に混入されるリントを除去するリント除去器とを有し、前記リント除去器は、前記開閉扉の内部から外部へ前記洗浄液を導出するために前記開閉扉に貫通形成される洗浄液導出孔と、前記洗浄液導出孔から外部に導出された前記洗浄液を前記外部で流下させる洗浄液流下管と、前記洗浄液流下管から流下する前記洗浄液を前記洗浄液導出孔よりも低い位置において前記開閉扉の外部から内部に導入するために前記開閉扉に貫通形成される洗浄液導入孔を具備してなり、前記リント除去器の内部に前記洗浄液に混入されるリントを濾過除去するリント除去フィルタを配置するリント除去器付洗濯装置である。
【００１０】
本発明の第６の形態は、前記洗濯装置が、前記被洗濯物と前記洗浄液を投入して回転洗浄する内胴部と、前記内胴部を包囲して固定状態に配置され且つ前記洗浄液が液密に保持される外胴部と、前記内胴部から前記外胴部に前記洗浄液を流通させるために前記内胴部に設けられた連通手段と、前記外胴部の開口部を液密に閉鎖し又は開放する前記開閉扉を有するリント除去器付洗濯装置である。
【００１１】
本発明の第７の形態は、前記回転洗浄において前記洗浄液の水面の水位が上昇する位置に前記洗浄液導出孔が設けられ、前記洗浄液の水位が下降する位置に前記洗浄液導入孔が設けられるリント除去器付洗濯装置である。
【００１２】
本発明の第８の形態は、前記洗浄液導出孔に前記被洗濯物の導出を遮断し且つリントが混入した前記洗浄液を導出させる粗目フィルタを配置し、前記粗目フィルタよりも下流側に前記リント除去フィルタを配置するリント除去器付洗濯装置である。
【発明の効果】
【００１３】
本発明の第１の形態によれば、前記洗濯方法においては、洗濯装置の開閉扉近傍でリントを除去するリント除去工程を伴うので、前記洗濯扉の外部において、前記リント除去工程を行うことができる。従って、既存の洗濯装置の内部構造を大幅に改造ないし再設計する必要無く、この洗濯装置の外部において前記リント除去を行うことができる。
又、前記洗濯方法の前記リント除去工程においては、導出された前記洗浄液を前記外部に設けられた洗浄液流下管で流下させ、流下する前記洗浄液を前記洗浄液導出孔よりも低い位置において前記開閉扉に貫通形成された洗浄液導入孔を介して前記開閉扉の外部から内部に導入し、前記リント除去工程において前記洗浄液導出孔よりも下流側にリント除去フィルタを配置して、流通する前記洗浄液に混入するリントを濾過除去するので、前記洗濯装置の作動により上昇された洗浄液を、自重のみにより前記リント除去フィルタまで流下させて、前記リント除去フィルタを通過させることにより、前記リントを濾過除去できる。従って、簡易な方法により、洗濯中において洗浄液から連続的にリントを除去することができる。
本形態における洗濯装置としては、内部の洗濯液を上昇させる手段を有することが好ましく、例えば横倒しの内胴部を有するドラム式洗濯装置が好ましい。リント除去フィルタとしては、リントを捕集するために、このリントよりも僅かに小さい網目又は孔部直径を有すれば良く、例えばガーゼ、リネン、プラスチック網や、金属網が使用できる。また、このリント除去フィルタには、前記洗浄液導入孔から前記リント除去フィルタへ連通する中空管である洗浄液流下管が装備されることが好ましく、この洗浄液流下管としては、プラスチック管、ゴム管や金属管を使用できる。
【００１４】
本発明の第２の形態によれば、前記洗濯装置では、内胴部の中に投入された被洗濯物と洗浄液を回転洗浄し、前記内胴部を包囲して固定状態に配置された外胴部で前記洗浄液が液密に保持され、前記内胴部に設けられた連通手段により前記内胴部から前記外胴部に前記洗浄液を流通させ、前記開閉扉により前記外胴部の開口部を液密に閉鎖又は開放するので、技術的に確立されたドラム型洗濯装置を使用して、前記洗浄液から連続的にリントを除去することができる。
ドラム型洗濯装置においては、内胴部の中心軸が水平方向または略水平方向なので、内胴部の左右において、洗濯中に、洗浄液が上下する。従って、特許文献１におけるポンプなどの洗浄液上昇手段を使用する必要なく、洗浄液をリント除去フィルタへ移動させることができる。このドラム型洗濯装置においては、内胴部内の洗浄液が、洗浄液導出孔及び洗浄液導入孔と接触可能にする為に、内胴部の中心軸ができるだけ水平であることが好ましいが、この中心軸が少々傾いていても差し支えない。この傾きは３０度以下であることが好ましく、更には２０度以下であることが好ましい。
【００１５】
本発明の第３の形態によれば、前記回転洗浄により前記洗浄液の水面の水位を上昇させた位置から前記洗浄液導出孔を介して前記洗浄液を導出し、前記回転洗浄により前記洗浄液の水面の水位を下降させた位置から前記洗浄液導入孔を介して前記洗浄液を導入するので、前記洗濯装置の前記回転洗浄により、前記洗濯装置内において水面の不均一を発生させ、この水面の不均一を利用して、前記洗浄液をリント除去フィルタに移動させることができる。
本形態によれば、回転洗浄により前記水面の水位を上昇ないし下降させるので、洗浄用の回転以外に洗浄液を移動させる手段を必要としない。従って、例えば特許文献１の様な揚水ポンプの必要がなく、洗濯装置の構造を単純化させることができる。また、本形態においては、前記水面の水位を部分的に上昇するだけでなく、同時に部分的に下降させる。従って、前記水位が上昇する箇所に洗浄液導出孔を配置するだけでなく、前記水位が下降する箇所に洗浄液導入孔を配置することにより、前記リント除去フィルタを通過する洗浄液の流量率が増え、リント除去の効率が向上する。
【００１６】
本発明の第４の形態によれば、前記洗浄液導出孔に粗目フィルタを配置して前記被洗濯物の導出を遮断すると共にリントが混入した前記洗浄液を導出させ、前記粗目フィルタよりも下流側で前記リント除去フィルタにより前記洗浄液に混入したリントを濾過除去するので、前記被洗濯物の、前記洗浄液を前記リント除去フィルタに導入する中空管への侵入を防止することができ、従って前記被洗濯物の破損が防止され、また前記中空管の、前記洗濯物による閉塞も防止される。
【００１７】
本発明の第５の形態によれば、このリント除去器付洗濯装置は、被洗濯物と洗浄液を投入して回転洗浄する洗濯装置と、この洗濯装置の開閉扉に配置されて前記洗浄液に混入されるリントを除去するリント除去器とを有し、前記リント除去器は、前記開閉扉の内部から外部へ前記洗浄液を導出するために前記開閉扉に貫通形成される洗浄液導出孔と、前記洗浄液導出孔から外部に導出された前記洗浄液を前記外部で流下させる洗浄液流下管と、前記洗浄液流下管から流下する前記洗浄液を前記洗浄液導出孔よりも低い位置において前記開閉扉の外部から内部に導入するために前記開閉扉に貫通形成される洗浄液導入孔を具備してなり、前記リント除去器の内部に前記洗浄液に混入されるリントを濾過除去するリント除去フィルタを配置するので、前記洗濯装置の作動により上昇された洗浄液を、自重のみにより前記リント除去フィルタまで流下させて、前記リント除去フィルタを通過させることにより、前記リントを濾過除去できる。
従って、既に存在する洗濯装置を改造したり、既に生産されている洗濯装置の設計を少し改めるだけで、前記開閉扉の外部において前記リント除去器を有するリント除去器付洗濯装置を得ることができる。
第１の形態と同様に、本形態における洗濯装置としては、内部の洗濯液を上昇させる手段を有することが好ましく、例えば横倒しの内胴部を有するドラム式洗濯装置が好ましい。リント除去フィルタとしては、リントを捕集するために、このリントよりも僅かに小さい網目又は孔部直径を有すれば良く、例えばガーゼ、リネン、プラスチック網や、金属網が使用できる。また、この洗浄液流下管としては、プラスチック管、ゴム管や金属管を使用できる。
【００１８】
本発明の第６の形態によれば、前記洗濯装置が、前記被洗濯物と前記洗浄液を投入して回転洗浄する内胴部と、前記内胴部を包囲して固定状態に配置され且つ前記洗浄液が液密に保持される外胴部と、前記内胴部から前記外胴部に前記洗浄液を流通させるために前記内胴部に設けられた連通手段と、前記外胴部の開口部を液密に閉鎖し又は開放する前記開閉扉を有するので、第２の形態と同様に、技術的に確立されたドラム型洗濯装置を使用して、前記洗浄液から連続的にリントを除去することができる。
ドラム型洗濯装置においては、内胴部の中心軸が水平方向または略水平方向なので、内胴部の左右において、洗濯中に、洗浄液が上下する。従って、特許文献１におけるポンプなどの洗浄液上昇手段を使用する必要なく、洗浄液をリント除去フィルタへ移動させることができる。このドラム型洗濯装置においては、内胴部内の洗浄液が、洗浄液導出孔及び洗浄液導入孔と接触可能にする為に、内胴部の中心軸ができるだけ水平であることが好ましいが、この中心軸が少々傾いていても差し支えない。この傾きは３０度以下であることが好ましく、更には２０度以下であることが好ましい。
【００１９】
本発明の第７の形態によれば、前記回転洗浄において前記洗浄液の水面の水位が上昇する位置に前記洗浄液導出孔が設けられ、前記洗浄液の水位が下降する位置に前記洗浄液導入孔が設けられるので、前記洗濯装置の前記回転洗浄により前記洗濯装置内において水面の不均一を発生させて、この水面の不均一を利用して、前記洗浄液をリント除去フィルタに通過させることができる。
又、本形態によれば、第３の形態と同様に、回転洗浄により前記水面の水位を上昇ないし下降させるので、洗浄用の回転以外に洗浄液を移動させる手段を必要としない。従って、例えば特許文献１の様な揚水ポンプの必要がなく、洗濯装置の構造を単純化させることができる。
【００２０】
本発明の第８の形態によれば、前記洗浄液導出孔に前記被洗濯物の導出を遮断し且つリントが混入した前記洗浄液を導出させる粗目フィルタを配置し、前記粗目フィルタよりも下流側に前記リント除去フィルタを配置するので、第４の形態と同様に、前記被洗濯物の、前記リント除去器への侵入を防止することができ、従って前記被洗濯物の破損が防止され、また前記リント除去器の、前記洗濯物による閉塞も防止される。
【図面の簡単な説明】
【００２１】
【図１】本発明の実施形態に係るリント除去器付洗濯装置の斜視図である。
【図２】図１に図示されるリント除去器付洗濯装置の正面図（２Ａ）及びＡ−Ａ部分断面図（２Ｂ）である。
【図３】粗目フィルタ（３Ａ）及びリント除去フィルタ（３Ｂ）の配置位置を示す、開閉扉のＢ−Ｂ断面図である。
【図４】洗濯時における洗浄液の流動を示す、リント除去器付洗濯装置の作動図である。
【図５】洗浄液導出孔及び洗浄液導入孔の位置における変更例を示すリント除去器付洗濯装置の作動図である。
【図６】固定手段を有する洗浄液導入孔及びリント除去フィルタの部分斜視図である。
【図７】逆流防止弁が装備されたリント除去器及び開閉扉のＢ−Ｂ概念的断面図である。
【図８】本発明に係るリント除去器の変形例を示す、開閉扉の部分的正面図である。
【図９】従来の洗濯装置の断面図である。
【発明を実施するための形態】
【００２２】
以下において、本発明に係るリント除去器付洗濯装置及びリント除去式洗濯方法の実施形態を、図面により詳細に説明する。
図１は、本発明の実施形態に係るリント除去器付洗濯装置１の斜視図である。本発明におけるリント除去器付洗濯装置１の外部は、機具の収納体である筐体２であり、この筐体２の前部には、被洗濯物３７を投入する為の筐体開口部７が設けられ、この筐体開口部７を封鎖する開閉扉４が開閉自在に設置されている。この開閉扉４の外部にはリント除去器８が装備されている。このリント除去器８は、開閉扉４を２ヶ所において貫通する中空管であり、リント除去フィルタ３４を内蔵する。被洗濯物３７の洗濯時において、洗浄液３６を通過させて、リント除去フィルタを濾過させることにより、洗浄液３６に混合するリントを除去する。詳細は、図２〜４の解説において説明する。尚、図１の開閉扉４の中央部はガラス窓６からなり、洗濯時において外部から被洗濯物３７及び洗浄液３６が確認できるが、開閉扉４が不透明であっても、洗濯には差し支えない。
【００２３】
図２は、図１に図示されるリント除去器付洗濯装置の正面図（２Ａ）及びＡ−Ａ部分断面図（２Ｂ）である。筐体２内においては、この筐体２の床面から支持バネ１６により支持固定された筒状の外胴部１２が収納され、この外胴部１２内においては、横倒し筒状の内胴部１８が、回転可能な状態で収納されている。又、外胴部１２の後部にモータ２４が配置され、外胴部１２を液密貫通する回転軸２２を介して、内胴部１８に接続する。このモータ２４に駆動されて、内胴部１８が回転する。この回転軸２２は、水平又は略水平に配置しているので、内胴部１８は、横倒し又は略横倒しの状態で回転する。
内胴部１８の開口部及び外胴部１２の開口部は、筐体開口部７と配列し、開閉扉４が開状態にある場合において、これらの開口部が、被洗濯物３７の内胴部１８内への投入口となる。開閉扉４の閉状態において、開閉扉４の後部周辺が、外胴部１２の開口部周辺に形成されたベローズ２６に接触し、このベローズ２６の弾力反動により、開閉扉４周辺が液密状態となる。
開閉扉４に設置されたリント除去器８は、開閉扉の閉状態において外胴部１２及び内胴部１８の内部に連通する。このリント除去器８は、開閉扉４を貫通する洗浄液導出孔２８と、この洗浄液導出孔２８と連通する中空管である洗浄液流下管２９と、この洗浄液流下管２９と連通し、開閉扉４を貫通し且つ圧洗浄液導出孔２８よりも斜め下方に配置される洗浄液導入孔３０からなる。尚、図１〜４においては、リント除去フィルタ３４は洗浄液導入孔３０に配置されているが、リント除去フィルタ３４が洗浄液流下管２９又は洗浄液導出孔２８に配置されても良い。
【００２４】
図３は、粗目フィルタ３３（３Ａ）及びリント除去フィルタ３４（３Ｂ）の配置位置を示す、開閉扉のＢ−Ｂ断面図である。図３の（３Ａ）及び（３Ｂ）においては、リント除去器８における洗浄液流下管２９の中空管構造が明確になっている。
図３の（３Ａ）における粗目フィルタ３３は、矢印ａの方向に、洗浄液導出孔２８へ挿入される。このフィルタは、被洗濯物３７がリント除去器８の内部に入り込むのを防止し、従って被洗濯物３７の破損及びリント除去器８の閉塞を防止する。このフィルタは、リントを除去する為のものではないので、フィルタの目付は粗くても良い。（３Ａ）においては、粗目フィルタ３３は、洗浄液導出孔２８に装着されるが、被洗濯物３７の洗浄液流下管２９への侵入を防止する観点からして、この位置が最も好ましい。尚、この位置においては、粗目フィルタ３３は、洗浄液３６の液流により、装着方向へ押しつけられるので、この粗目フィルタ３３の固定手段としては、嵌め込みなどの単純なもので良い。
図３の（３Ｂ）におけるリント除去フィルタ３４は、矢印ｂの方向に、洗浄液導入孔３０へ挿入される。このフィルタは、リントを除去する為のフィルタであり、粗目フィルタ３３よりも下流側に配置される必要がある。また、粗目フィルタ３３よりも目付が細かい。（３Ｂ）においては、リント除去フィルタ３４が、洗浄液導入孔３０に配置され、この位置は、リント除去フィルタ３４の交換や掃除の為の脱着の為に、好ましい位置である。但し、リント除去機能の観点からは、リント除去フィルタ３４の配置位置は、粗目フィルタ３３よりも下流側であれば、リント除去器８のどこでも良い。
尚、この位置に配置されるリント除去フィルタ３４については、洗浄液３６の液流が、リント除去フィルタ３４を内胴部１８の方向へ押し込み、リント除去器８から脱落させる傾向があるので、この位置におけるリント除去フィルタ３４は、比較的強固な固定手段が必要となる。本発明のリント除去フィルタ３４及び粗目フィルタ３３において使用できる固定手段の例としては、図５に記載されるものがあり、後程の図５の説明が参照となる。
【００２５】
図４は、洗濯時における洗浄液の流動を示す、リント除去器付洗濯装置の作動図である。  被洗濯物３７を内胴部１８内に投入した後に、開閉扉４を閉状態にする。その後に、外胴部１２に配置された注水口（図示せず）から洗浄液３６を外胴部１２内及び内胴部１８内に注入する。或いは、被洗濯物３７と洗剤を同時に内胴部１８内に投入し、開閉扉４を閉状態にした後に、前記注水口から水を注入し、内胴部１８内において前記洗剤を前記水に溶解させることにより、洗浄液３６を形成させても良い。洗浄液３６の注入後においては、（４Ａ）に図示されたとおりとなる。
回転軸２２及び内胴部１８の中心軸が水平又は略水平なので、内胴部１８が回転する際に、（４Ｂ）に図示される通り、側方の洗浄液３６及び洗濯物３７が上昇し、反対の側方における洗濯液３６及び洗濯物３７が下降する。図４の（４Ｂ）においては、回転方向は反時計回り（矢印ｃ）であるので、右側の洗浄液３６及び洗濯物３７が上昇し、左側の洗浄液３６及び洗濯物３７が下降する。従って、洗浄液導入孔３０は、洗浄液導出孔２８の左下に配置される。内胴部１８の反時計回転により、図４の液面３８が、内胴部１８の右側において上昇し、また内胴部１８の左側において下降する。
液面３８が洗浄液導出孔２８の位置まで上昇すると、洗浄液３６が洗浄液導出孔２８に入り込む。ここにおいて、被洗濯物３７は、洗浄液導出孔２８に配置された粗目フィルタ３３によりせき止められ、リントを含んだ洗浄液３６が、洗浄液流下管２９に導入される。洗浄液３６が、洗浄液流下管２９を、矢印ｄの方向に、自重により流下し、洗浄液導入孔３０から、自重により内胴部１８へ再導入される。この洗浄液３６の流下の勢いにより、洗浄液３６が、リント除去装置８の内部（図４においては、洗浄液導入孔３０）に配置されたリント除去フィルタ３４を通過し、リントが濾過除去される。
尚、もし回転方向が時計回りであれば、液面３８が、内胴部１８の左側において上昇し、また内胴部１８の右側において下降するので、洗浄液導入孔３０は、洗浄液導出孔２８の右下に配置される必要がある。
【００２６】
図５は、洗浄液導出孔２８及び洗浄液導入孔３０の位置における変更例を示すリント除去器付洗濯装置１の作動図である。図４の（４Ａ）においては、洗浄液導出孔２８が、外胴部１２及び内胴部１８の中心軸から上方に配置されている。しかし、洗浄液３６の使用量が少ない場合や、内胴部１８の回転速度が比較的遅い場合には、水面３８の部分的上昇が不十分となり、洗浄液３６が洗浄液導出孔２８へ到達しない可能性がある。これらの様な場合においては、図５の（５Ａ）におけるように、洗浄液導出孔２８をより低い位置に配置することにより、洗浄液３６を洗浄液導出孔２８へ誘導することができる。図５の（５Ａ）においては、洗浄液導出孔２８は、外胴部１２及び内胴部１８の中心軸から下方に配置されているが、洗浄液導入孔３０からは上方の位置である。
又、図４の（４Ａ）においては、下降した水面３８が洗浄液導入孔３０の下方に位置されており、この様に水面３８が部分的に下降して、洗浄液導入孔３０の近辺において洗浄液３６が存在しない空間が発生することにより、洗浄液３６がリント除去器８内においてより効果的に流下する。しかし、内胴部１８の回転速度が遅い場合は、この様な空間が洗浄液導入孔３０付近に発生し難い。また、単にリント除去器８内において洗浄液３６の下降を発生させる為には、この様な空間は必要無く、従って図５の（５Ａ）におけるとおり、洗浄液導入孔３０をより内胴部１８の中央下方付近に配置させても良い。この様な洗浄液導入孔３０の配置により、洗浄液流下管２９をより短くし、リント除去器８の構造をより簡略化させることができる。
【００２７】
図６は、固定手段を有する洗浄液導入孔３０及びリント除去フィルタ３４の部分斜視図である。図３の説明において記述したとおり、洗浄液導入孔３０に取り付けるリント除去フィルタ３４は、脱落を防止する為の、比較的強固な固定手段を必要とする。図５における固定手段としては、洗浄液導入孔３０には、フランジ４を介して、係合突片４６が数個（図６においては２個）設置され、またリント除去フィルタ３４には、筒状部４０における略Ｌ字状の係合切欠４２が、結合突片４６と同じ数だけ形成されている。係合突片４６が係合切欠４２に嵌るように、リント除去フィルタ３４を洗浄液導入孔３０に嵌めた後に、リント除去フィルタ３４を時計回りに回転させることにより、リント除去フィルタ３４を洗浄液導入孔３０に固定する。リント除去フィルタ３４を取り外す際には、リント除去フィルタ３４を反時計回りに回転して係合状態を解除した後に、引っ張って取り外す。
尚、図６の固定手段は、単なる一例であり、その他にも螺旋構造やレバー固定など、数々の固定手段が使用できる。
【００２８】
図７は、逆流防止弁４８が装備されたリント除去器８及び開閉扉のＢ−Ｂ概念的断面図である。リント除去器８の内部における液流は、内胴部１８が定速度で回転する場合は、必ず上から下への流下となるが、この内胴部１８をパルス状に回転させる場合には、内胴部１８回転の停止時点において、勢いにより洗浄液３６が洗浄液導入孔３０を介してリント除去器８の内部に侵入するおそれがある。このように、リント除去器８内において逆流が発生すると、リント除去フィルタ３４に溜められていたリントが、洗浄液３６に再混入されてしまう。従って、リント除去器８に逆流防止手段を設けることは、有用である。
図７における逆流防止弁４８は、２枚のゴム板を先端において重ね合わせたダックビル弁である。このようなダックビル弁は、構造が簡単であり、作動も確実なため、本発明における逆流防止に好適である。しかし、バタフライ型やボール型などの、他の形状の逆流防止弁も使用できる。
【００２９】
図８は、本発明に係るリント除去器８の変形例を示す、開閉扉４におけるガラス窓６の部分的正面図である。本発明の洗濯装置において、内胴部１８の回転方向が繰り返し反転する場合は、開閉扉４の左上と右上の両方に洗浄液導出孔２８を配置して、時計回り回転による左側液面の上昇および反時計回り回転による右側液面の両方に対応させる必要がある。
図８の（８Ａ）、（８Ｂ）及び（８Ｃ）においては、左上と右上の両方に、洗浄液導出孔２８が設けられている。これらにおいては、洗浄液導入孔３０は、開閉扉４の中央下部に１つのみ設けられている。洗浄液流下管２９の形状は、（８Ａ）においては略Ｙ字型であり、（８Ｂ）においては略Ｔ字型であり、（８Ｃ）においては略Ｖ字型である。
図８の（８Ｄ）においては、２個ずつ設けられた洗浄液導出孔２８及び洗浄液導入孔３０が設けられ、２個ずつ設けられた洗浄液流下管２９により、２個ののリント除去器が略Ｘ字状に設けられている。１個の洗浄液流下管２９は、左上の洗浄液導出孔２８と右下の洗浄液導入孔３０を連通させ、もう１個の洗浄液流下管２９は、右上の洗浄液導出孔２８と左下の洗浄液導入孔３０を連通させる。
【００３０】
尚、本発明は上記実施形態に限定されるものではなく、本発明の技術的思想を逸脱しない範囲における変形例、設計変更などをその技術的範囲内に包含するものであることは、云うまでもない。
【産業上の利用可能性】
【００３１】
本発明によれば、既存する洗濯装置を改造し、又は既存する洗濯装置の設計を僅かに変更するのみにより、効果的な洗浄液のリント除去を行うことができる。従って、洗濯装置の故障率の低下、並びに被洗濯物の洗濯効率の向上が得られる。
【符号の説明】
【００３２】
１    リント除去器付洗濯装置
２    筐体
４    開閉扉
６    ガラス窓
７    筐体開口部
８    リント除去器
１２    外胴部
１６    支持バネ
１８    内胴部
２２    回転軸
２４    モータ
２６    ベローズ
２８    洗浄液導出孔
２９    洗浄液流下管
３０    洗浄液導入孔
３３    粗目フィルタ
３４    リント除去フィルタ
３６    洗浄液
３７    被洗濯物
３８    液面
４０    筒状部
４２    係合切欠
４４    フランジ
４６    係合突片
４８    逆流防止弁
１０１    洗濯装置
１０２    外箱
１０３    蓋
１０４    操作部
１０５    リントフィルタ
１０６    外槽
１０７    洗濯槽
１０８    攪拌翼
１０９    防振装置
１１１    揚水ホース
１１１ａ  吐水口
１１２    排水ホース
１１３    排水バルブ
１１４    機構部
１１５    ベルト
１１６    モータ
１１７    吊り棒
１１８    排水口
１１９    排水管
１２５    フィルタボックス
【図１】
2014193194.tif 000003
【図２】
2014193194.tif 000004
【図３】
2014193194.tif 000005
【図４】
2014193194.tif 000006
【図５】
2014193194.tif 000007
【図６】
2014193194.tif 000008
【図７】
2014193194.tif 000009
【図８】
2014193194.tif 000010
【図９】
2014193194.tif 000011